(57)【特許請求の範囲】
【請求項１】
左右の側壁板とこれら両側壁板の後端部に固着された後壁板にて形成されたケース本体の空間部に、左右の脚部にて支持された支承台を有する架台を備え、各種の機器類が前記空間部の上下の中間部位に位置する前記支承台に支承された状態で収納される収納ケースであり、前記架台を構成する前記各脚部の少なくとも一方が箱状に形成されていることを特徴とする収納ケース。
【請求項２】
左右の側壁板とこれら両側壁板の後端部に固着された後壁板にて形成されたケース本体の空間部に、左右の脚部にて支持された支承台を有する架台を備えるとともに、前記各側壁板の前端部の上下の中間部に下端部を前後方向へ回動可能に組付けられ前記空間部の上下の中間部位に位置する前記支承台に支承された状態で収納される容器の前側開口部を開閉する開閉扉を備えた収納ケースであり、前記架台を構成する前記各脚部の少なくとも一方が箱状に形成されていることを特徴とする収納ケース。
【請求項３】
請求項１または２に記載の収納ケースにおいて、前記架台は、前記支承台と、同支承台の前端部における左右の各側部に固着された箱状の脚部とからなり、前記各側壁板の内側面に挟持して支持されていることを特徴とする収納ケース。
【請求項４】
請求項１または２に記載の収納ケースにおいて、前記架台は、前記支承台と、同支承台の前端部における左右の各側部に固着された箱状の脚部と、同支承台の後端部における左右の各側部に固着された各補助脚部とからなり、前記各側壁板の内側面に挟持して支持されていることを特徴とする収納ケース。
【請求項５】
請求項２に記載の収納ケースにおいて、前記開閉扉は左右の一方側部または両側部にストッパを先端部に有する円弧状の支持アームを備え、前記箱状の脚部は、前記支持アームが挿通する挿通穴と、前記開閉扉が前方へ所定量回動した際前記ストッパが掛止される前壁部を備えていることを特徴とする収納ケース。
【請求項６】
請求項５に記載の収納ケースにおいて、前記箱状の脚部は、前記支持アームの回動動作を許容し、前記開閉扉を閉鎖方向に付勢するバネ部材の配置を確保し、かつ同バネ部材の伸縮動作を許容する空間部を備えていることを特徴とする収納ケース。
【発明の詳細な説明】
【０００１】
【発明の属する技術分野】
本発明は、架台を内蔵する収納ケースに関する。
【０００２】
【従来の技術】
収納ケースの一形式として、左右の側壁板とこれら両側壁板の後端部に固着された後壁板にて形成されたケース本体の空間部に、左右の脚部にて支持された支承台を有する架台を備え、各種の機器類が前記空間部の上下の中間部位に位置する前記支承台に支承された状態で収納される形式の収納ケースがある。
【０００３】
当該収納ケースとしては、例えばストッカを一体的に備えた製氷機の収納ケースがあり、当該収納ケースにおいては、ストッカが架台の支承台にて支承された状態で収納され、かつ、製氷機を構成する各種の機構部が支承台の下方等、残りりの空間部に配設されて収納される。
【０００４】
図４には当該収納ケースを使用したストッカと一体の製氷機を示し、図５には当該収納ケースを一部分解した状態で示し、かつ、図６には架台を分解した状態で示している。当該収納ケースにおいては、架台１０ａが左右の側壁板１１ａ，１１ｂと後壁板１２とが形成する空間部に配設されているもので、架台１０ａは、左右の側板１３ａ，１３ｂ、支承台１４、および左右のカバー体１５ａ，１５ｂにて形成されている。
【０００５】
架台１０ａにおいては、支承台１４が左側板１３ａに対しては前側フランジ部１４ａおよび左側フランジ部１４ｂにて溶接されて固着され、かつ、右側板１３ｂに対しては前側フランジ部１４ａおよび右側フランジ部１４ｃにて溶接されて固着されており、また、各カバー体１５ａ，１５ｂは支承台１４の各切欠部１４ｄ，１４ｅに嵌合した状態で、支承台１４およぶ各側板１３ａ，１３ｂに溶接されて固着されている。これにより、架台１０ａは、図５に示す状態に組立てられている。
【０００６】
当該架台１０ａにおいては、図５に示すように、支承台１４にストッカ１６が支承された状態で組み付けられるとともに、左右の側壁板１１ａ，１１ｂおよび後壁板１２が組み付けられ、その後、これらの空隙部の間には注入された発泡性樹脂を発泡して形成された断熱材が充填されていて、これにより、収納ケースが構成されている。
【０００７】
当該収納ケースには、図４に示すように、製氷板等の製氷機構部を組み付けた天板１７、ストッカ１６の前側開口部を開閉する開閉扉１８、コンプレッサやコンデンサ等を組み付けた底板１９が組み付けられて、ストッカと一体の製氷機が構成される。開閉扉１８は扉本体１８ａの左右の各側部に一対の支持アーム１８ｂを備え、各支持アーム１８ｂはストッカ１６の各貫通穴１６ａ，１６ｂ、各側壁板１１ａ，１１ｂの貫通穴１１ａ１，１１ｂ１、および各側板１３ａ，１３ｂの貫通穴１３ａ１，１３ｂ１を貫通して組付けられている。また、各支持アーム１８ｂに設けたストッパ１８ｃには、扉本体１８ａを閉鎖方向へ付勢するバネ部材１８ｄが掛止されている。
【０００８】
これにより、各支持アーム１８ｂは扉本体１８ａと一体に回動し、扉本体１８ａが前方へ所定量回動した際、各支持アーム１８ｂの先端部に設けたストッパ１８ｃが各側板１３ａ，１３ｂの前側壁部に当接し、扉本体１８ａのそれ以上の前方への回動を規制する。また、扉本体１８ａは前方への回動操作が解除されると、両バネ部材１８ｄの付勢力で閉鎖方向へ回動される。
【０００９】
【発明が解決しようとする課題】
ところで、当該収納ケースにおいて、架台１０ａは多数の構成部材で構成されていて、各構成部材間での溶接箇所やかしめ箇所が多いとともに、支承台１４を支持する左右の各側板１１ａ、１１ｂがプレート状で剛性がないため、架台１０ａの随所で歪みが発生し易く、各側板１１ａ，１１ｂの垂直形状および支承台１４の水平形状が出し難い。このため、架台１０ａは正面からみて、支承台１４の固着部を中心とするハの字状または逆ハの字状を呈することになり、左右の側壁板１１ａ，１１ｂおよび後壁板１２への組付け精度や、ストッカ１６の組付け精度が悪く、また、天板１７、開閉扉１８、および底板１９等との取付け位置にずれを生じるおそれがある。
【００１０】
また、収納ケースが開閉扉１８を備える形式のものにおいては、開閉扉１８の扉本体１８ａの左右の各側部に設けた各支持アーム１８ｂと、ストッカ１６の各貫通穴１６ａ，１６ｂ間、各側板１１ａ，１１ｂの貫通穴１１ａ１，１１ｂ１間、および各側板１３ａ，１３ｂの貫通穴１３ａ１，１３ｂ１間とのそれぞれの間にずれが生じ、これらのずれを補償するため、各貫通穴をずれ方向に広幅に形成しなければならない。各支持アーム１８ｂが貫通するこれらの貫通穴は外部に露呈することから、収納ケースの外観を損なうことになる。
【００１１】
開閉扉１８の各支持アーム１８ｂは、扉本体１８ａの前後方向への回動時には一体的に回動動作し、また、各ストッパ１８ｃの部位に掛止されて扉本体１８ａを閉鎖方向に付勢する各バネ部材１８ｄは、扉本体１８ａの前後方向への回動時には一体的に回動動作するとともに伸縮動作するが、これらの動作に左右方向にぶれが生じて、各支持アーム１８ｂおよび各バネ部材１８ｄが収納ケースの構成部材と干渉しあうおそれがある。
【００１２】
従って、本発明の目的は、架台を内蔵する形式の収納ケースにおいて、これらの問題の少なくとも１つを解消することにある。
【００１３】
【課題を解決するための手段】
本発明に係る第１の発明は、左右の側壁板とこれら両側壁板の後端部に固着された後壁板にて形成されたケース本体の空間部に、左右の脚部にて支持された支承台を有する架台を備え、各種の機器類が前記空間部の上下の中間部位に位置する前記支承台に支承された状態で収納される収納ケースであり、前記架台を構成する前記各脚部の少なくとも一方が箱状に形成されていることを特徴とするものである。
【００１４】
また、本発明に係る第２の発明は、左右の側壁板とこれら両側壁板の後端部に固着された後壁板にて形成されたケース本体の空間部に、左右の脚部にて支持された支承台を有する架台を備えるとともに、前記各側壁板の前端部の上下の中間部に下端部を前後方向へ回動可能に組付けられ前記空間部の上下の中間部位に位置する前記支承台に支承された状態で収納される容器の前側開口部を開閉する開閉扉を備えた収納ケースであり、前記架台を構成する前記各脚部の少なくとも一方が箱状に形成されていることを特徴とするものである。
【００１５】
本発明に係るこれらの収納ケースにおいては、前記架台を、前記支承台と、同支承台の前端部における左右の各側部に固着された箱状の脚部とにより構成し、または、前記架台を、前記支承台と、同支承台の前端部における左右の各側部に固着された箱状の脚部と、同支承台の後端部における左右の各側部に固着された各補助脚部とにより構成して、前記各側壁板の内側面に挟持して支持するようにすることができる。
【００１６】
本発明に係る第２の収納ケースにおいては、前記開閉扉を、左右の一方側部または両側部にストッパを先端部に有する円弧状の支持アームを備えた構成とするとともに、前記箱状の脚部を、前記支持アームが挿通する挿通穴と、前記開閉扉が前方へ所定量回動した際前記ストッパが掛止される前壁部を備えていることをができる。この場合、前記箱状の脚部を、前記支持アームの回動動作を許容し、前記開閉扉を閉鎖方向に付勢するバネ部材の配置を確保し、かつ同バネ部材の伸縮動作を許容する空間部を備えた構成とすることができる。
【００１７】
【発明の作用・効果】
本発明の第１の発明および第２の発明に係る収納ケースにおいては、架台を構成する箱状の脚部は高い剛性を有するとともに、側板等に挟持して支持されても、また、他の構成部材との溶接やかしめによっても歪みが発生することがなくて、垂直起立状態を保持する。このため、架台は正面からみて、支承台の左右の脚部に対する固着部を中心としたハの字状または逆ハの字状を呈するようなことはなく、左右の側壁板および後壁板への組付け精度や、ストッカの組付け精度を向上させることができ、また、その後に取付けられる天板、開閉扉、底板等との取付け位置にずれが生じるようなことはない。
【００１８】
この場合、架台を、支承台と、同支承台の前端部における左右の各側部に固着された箱状の脚部とにより構成して各側壁板の内側面に挟持して支持するように構成し、または、前記支承台と、同支承台の前端部における左右の各側部に固着された箱状の脚部と、同支承台の後端部における左右の各側部に固着された各補助脚部とにより構成して各側壁部の内側面に挟持して支持するように構成することが好ましい。
【００１９】
また、本発明に係る第２の収納ケースにおいては、開閉扉を、左右の一方側部または両側部にストッパを先端部に有する円弧状の支持アームを備えた構成とするとともに、箱状の脚部を支持アームが挿通する挿通穴と、開閉扉が前方へ所定量回動した際ストッパが当接する前壁部を備えた構成とすることができる。この場合には、箱状の脚部を、支持アーム部の回動動作を許容し、開閉扉を閉鎖方向に付勢するバネ部材の配置を確保し、かつ同バネ部材の伸縮動作を許容する空間部を備えた構成とすることができる。
【００２０】
これにより、収納ケースの架台を構成する構成部品の部品点数を低減でき、収納ケースの軽量化を図ることができるとともに、架台の組立時における溶接箇所やかしめ箇所を大幅に低減し得て架台に生じる歪みを一層防止することができる。
【００２１】
この場合、支持アームと挿通穴間にはずれがないため、挿通穴をずれを補償すべく幅を拡大する必要がなく、これにより収納ケースの外観が損なわれるようなことはない。また、支持アームおよびバネ部材の動作にぶれがなく、これらの部材と収納ケースの各構成部材との干渉を防止することができる。当該収納ケースにおいては、箱状の脚部を、支持アームの回動動作を許容し、開閉扉を閉鎖方向に付勢するバネ部材の配置を確保し、かつバネ部材の伸縮動作を許容する空間部を備える構成とする。
【００２２】
なお、収納ケースが、左右の側壁板と後壁板で形成される外壁板とストッカ、架台等内壁を構成する内材との間内に発泡性樹脂を注入して断熱材を充填する形式の収納ケースの場合には、架台を構成する箱状の脚部が断熱材内に埋設されることになり、これにより、箱状の脚部および架台の強度を一層向上させ、延いては、収納ケース全体の強度を向上させることができる。
【００２３】
【発明の実施の形態】
以下、本発明を図面に基づいて説明するに、図１には、本発明に係る収納ケースを分解した状態が示されている。当該収納ケースは、ケース本体とは独立して形成された架台２０ａを内蔵するもので、架台２０ａは、左右一対の脚部２１，２２と、左右の補助脚部２３，２４と、支承台２５とにより構成されており、ストッカ２６を支承した状態で、左右の各側壁板２７，２８および後壁板２９にて構成されるケース本体内に組付けられ、これにより、架台２０ａを内蔵する収納ケースが構成されている。
【００２４】
架台２０ａを構成する脚部２１，２２は、図２に示すように、外側が開口する箱状を呈する高い剛性を有するもので、主壁部２１ａ，２２ａと、その周縁部から外側へ直交して突出する上壁部２１ｂ，２２ｂ、下壁部２１ｃ，２２ｃ、前壁部２１ｄ，２２ｄ、および後壁部２１ｅ，２２ｅにて構成されている。各脚部２１，２２においては、主壁部２１ａ，２２ａの中央部から下方に延びる作業穴２１ａ１，２２ａ１が形成されているとともに、作業穴２１ａ１，２２ａ１の上縁部に内側へ突出する支承片２１ａ２，２２ａ２が、かつ、前縁部に下方に掛止部２１ａ３，２２ａ３が形成されている。また、前壁部２１ｄ，２２ｄには、その上方に上下方向に延びるスリット状の貫通穴２１ｄ１，２２ｄ１が形成されている。
【００２５】
補助脚部２３，２４は、側板部２３ａ，２４ａと後板部２３ｂ，２４ｂとを互いに直交状に屈折してなる平面Ｌ字状を呈するもので、側板部２３ａ，２４ａが後板部２３ｂ，２４ｂより所定量高く形成されているとともに、下縁部に内側へ突出する底板部２３ｃ，２４ｃを備えている。
【００２６】
支承台２５は、方形状の平板部２５ａと、その周縁部から上側へ直交して突出する前縁部２５ｂ、後縁部２５ｃ、左右に側縁部２５ｄ，２５ｅにて構成されている。平板部２５ａにおいては、その前側の左右両側部に長方形状の切欠部２５ａ１，２５ａ２が形成されている。各切欠部２５ａ１，２５ａ２は、各脚部２１，２２の平面形状と同一形状に形成されていて、各切欠部２５ａ１，２５ａ２に各脚部２１，２２がぴったり嵌合するようになっている。
【００２７】
架台２０ａは、例えば以下のように組立てられる。すなわち、各脚部２１，２２を支承台２５の平板部２５ａにおける各切欠部２５ａ１，２５ａ２に嵌合して、支承片２１ａ２，２２ａ２にて平板部２５ａの前側の左右の側縁部を下方から支承するとともに、各補助脚部２３，２４の後板２３ｂ，２４ｂを平板部２５ａの後側縁部の下方に差し込んで、後板部２３ｂ，２４ｂの上縁にて平板部２５ａの後側の左右の側縁部を下方から支承する。この状態で、各脚部２１，２２をその支承片２１ａ２，２２ａ２にて支承台２５の平板部２５ａの下面に溶接し、各補助脚部２３，２４の側板部２３ａ，２４ａにおける上方内面にて支承台２５における各側縁部２５ｄ，２５ｅの外面に溶接し、かつ、各補助脚部２３，２４の後板部２３ｂ，２４ｂにおける上縁にて平板部２５ａにおける後側縁部の下面に溶接する。
【００２８】
架台２０ａは、ストッカ２６を支承した状態で、左右の各側壁板２７，２８および後壁板２９にて構成されるケース本体内に組付けられ、これにより、架台２０ａを内蔵する収納ケースが構成される。ストッカ２６は、図１に示すように、前側および上側が開口する箱体２６ａの前縁および上縁に、箱体２６ａに直交して外側へ突出する前壁部２６ｂおよび上壁部２６ｃを備えているもので、前壁部２６ｂにおける左右の下方部に上下方向に延びるスリット状の貫通穴２６ｂ１，２６ｂ２が形成されている。各貫通穴２６ｂ１，２６ｂ２は、各脚部２１，２２の貫通穴２１ｄ１，２２ｄ１と略同一形状に形成されているもので、ストッカ２６が組付られた状態では同貫通穴２１ｄ１，２２ｄ１と対向する。
【００２９】
各側壁板２７，２８は左右対称に形成されているもので、主壁部２７ａ，２８ａと、その周縁部から内側へ直交して突出する上壁部２７ｂ，２８ｂ、下壁部２７ｃ，２８ｃ、前壁部２７ｄ，２８ｄ、後壁部２７ｅ，２８ｅ、および上下一対の突片２７ｆ，２８ｆにて構成されている。各側壁板２７，２８においては、主壁部２７ａ，２８ａの中央部から下方に延びるコンデンサ用の窓部２７ａ１，２８ａ１が形成されているとともに、前壁部２７ｄ，２８ｄには、その中間部に上下方向に延びるスリット状の貫通穴２７ｄ１，２８ｄ１が形成されている。各貫通穴２７ｄ１，２８ｄ１は、各脚部２１，２２の貫通穴２１ｄ１，２２ｄ１およびストッカ２６の各貫通穴２６ｂ１，２６ｂ２と略同一形状に形成されているもので、各側壁板２７，２８が組付られた状態ではこれらの各貫通穴２１ｄ１，２２ｄ１、および各貫通穴２６ｂ１，２６ｂ２と対向する。
【００３０】
当該収納ケースは、例えば以下のように組立てられる。すなわち、先ず架台２０ａの各脚部２１，２２を各側壁板２７，２８の主壁部２７ａ，２８ａと上下の両突片２７ｆ，２８ｆ間に差し込んだ状態で、各側壁板２７，２８を架台２０ａの左右の各側部に組付けて、架台２０ａの支承台２５における各側縁部２５ｄ，２５ｅを各側壁板２７，２８の主壁部２７ａ，２８ａに仮止めまたは溶接するとともに、後壁板２９を各側壁板２７，２８の後壁部２７ｅ，２８ｅに仮止めまたは溶接する。
【００３１】
次いで、この組立体の上方開口部からストッカ２６を挿入して、ストッカ２６の箱体２６ａを支承台２５の平板部２５ａに載置するとともに、ストッカ２６の上壁部２６ｃを各側壁板２７，２８の上壁部２７ｂ，２８ｂおよび後壁板２９の上縁に掛止めして、ストッカ２６の前壁部２６ｂを各側壁板２７，２８の前壁部２７ｄ，２８ｄの前面に当接して位置させる。最後に、ストッカ２６をこれら各側壁板２７，２８の上壁部２７ｂ，２８ｂ、前壁部２７ｄ，２８ｄ、後壁板２９の上縁に仮止めまたは溶接する。
【００３２】
このように組立てられた収納ケースでは、ストッカ２６の各貫通穴２６ｂ１，２６ｂ２と、各側壁板２７，２８の貫通穴２７ｄ１，２８ｄ１と、各脚部２１，２２の貫通穴２１ｄ１，２２ｄ１とがこの順序で互いに対向していて、各脚部２１，２２の内部を後述する開閉扉１８の支持アーム１８ｂ、支持アーム１８ｂに掛止されるバネ部材１８ｄの収容空間部を構成しており、各脚部２１，２２、支承台２５、ストッカ２６、各側壁板２７，２８、および後壁板２９間に形成される間隙には、注入された発泡樹脂を発泡させて形成された断熱材が充填されており、各脚部２１，２２内に形成されている収容空間部は確保されている。
【００３３】
当該収納ケースにおいては、従来の収納ケースと同様に、図４に示すように、製氷板等の製氷機構部を組付けた天板１７、ストッカ２６の前側開口部を開閉する開閉扉１８、コンプレッサやコンデンサ等を組み付けた底板１９が組付けられて、ストッカ２６と一体の製氷機が構成される。開閉扉１８は扉本体１８ａの左右の各側部に一対の支持アーム１８ｂを備え、各支持アーム１８ｂはストッカ２６の各貫通穴２６ｂ１，２６ｂ２、各側壁板２７，２８の貫通穴２７ｄ１，２８ｄ１、および各脚部２１，２２の貫通穴２１ｄ１，２２ｄ１を貫通して各脚部２１，２２の収容空間部に臨み、各支持アーム１８ｂの先端部に設けたストッパ部１８ｃに各バネ部材１８ｄの上端が掛止されている。なお、各バネ部材１８ｄの下端は各脚部２１，２２の掛止部２１ａ３，２２ａ３に掛止されている。なお、各バネ部材１８ｄの掛止作業は、各脚部２１，２２の作業穴２１ａ１，２２ａ１を通してなされる。
【００３４】
これにより、開閉扉１８の扉本体１８ａは、各バネ部材１８ｄにより常時付勢されてストッカ２６の前側開口部を閉鎖しており、扉本体１８ａが前方へ所定量回動した際、各支持アーム１８ｂが扉本体１８ａと一体に回動してストッパ部１８ｃを各脚部２１，２２の前壁部２１ｄ，２２ｄの内面に当接させ、扉本体１８ａのそれ以上の前方への回動を規制する。また、扉本体１８ａは前方への回動操作が解除されると、両バネ部材１８ｄの付勢力で閉鎖方向へ回動されて、ストッカ２６の前側開口部を閉鎖する。
【００３５】
このように構成された収納ケースにおいては、図５に示す従来の収納ケースと同様に機能するもので、図４に示す状態と略同様にストッカ２６と一体の製氷機を構成する。
【００３６】
しかして、当該収納ケースにおいては、ケース本体に内蔵している架台２０ａを構成する左右の両脚部２１，２２は箱状を呈していて、単なる平板に比較して極めて高い剛性を有するとともに、架台２０ａを構成する他の構成部材との溶接やかしめによっても、また、左右の側壁板２７，２８の挟持によっても歪みが発生することがなくて、垂直起立状態を保持する。このため、架台２０ａは正面からみて、支承台２５の各脚部２１，２２に対する固着部を中心とするハの字状または逆ハの字状を呈するようなことはなく、左右の側壁板２７，２８および後壁板２９への組付け精度や、ストッカ２６の組付け精度を向上させることができ、また、その後に取付けられる天板１７、開閉扉１８、底板１９等との取付け位置にずれが生じるようなことはない。
【００３７】
この場合、各支持アーム部１８ｂと、ストッカ２６の各挿通穴２６ｂ１，２６ｂ２と、各側壁板２７，２８の貫通穴２７ｄ１，２８ｄ１と、各脚部２１，２２の貫通穴２１ｄ１，２２ｄ１との間にはずれがないため、これらの各挿通穴をそのずれを補償すべく幅を拡大する必要がなく、これにより収納ケースの外観が損なわれるようなことはない。
【００３８】
当該収納ケースにおいては、各脚部２１，２２の収容空間部を、各支持アーム１８ｂの回動動作を許容し、扉本体１８ａを閉鎖方向に付勢する各バネ部材１８ｄの配置を確保し、かつ各バネ部材１８ｄの伸縮動作を許容する大きさに構成しているが、各支持アーム１８ｂおよび各バネ部材１８ｄの動作には左右のぶれがなく、これらの支持アーム１８ｂおよびバネ部材１８ｄと、各脚部２１，２２の内壁面等との干渉が防止される。
【００３９】
また、当該収納ケースにおいては、左右の各脚部２１，２２は左右の側壁板２７，２８とストッカ２６間にて発泡形成される断熱材内に埋設されるため、各脚部２１，２２および架台２０ａの強度が一層向上し、延いては、収納ケース全体の強度が向上する。
【００４０】
図３には、本発明に係る収納ケースの他の一例が示されている。当該収納ケースは、ケース本体と架台とが一体に形成されているもので、左右一対の脚部３１，３２と、後壁板３３と一体の支承台３４と、左右の一対の側壁板３５，３６にて構成されていて、ストッカ３７を支承して内蔵している。
【００４１】
当該収納ケースにおいて、各脚部３１，３２、各側壁板３５，３６、およびストッカ３７は、上記した各脚部２１，２２と、各側壁部２７，２８、ストッカ２６と同一構造に形成されているもので、また、支承台３４は後壁板３３と一体である点を除き、支承台２５と類似する構造に形成されている。支承台３４は、平板部３４ａの前縁に前縁部３４ｂが形成されているもので、左右の各側縁部は省略されている点を除き支持台２５と同様に構成されている。
【００４２】
当該収納ケースは、例えば以下のように組立てられる。すなわち、先ず各脚部３１，３２を各側壁板３５，３６の主壁部３５ａ，３６ａと上下の両突片３５ｂ，３６ｂ間に差し込んだ状態で、主壁部３５ａ，３６ａと上下両突片３５ｂ，３６ｂに溶接する。次いで、後壁板３３と一体の支承台３４をその各切欠部にて各側壁板３５，３６に嵌合し、この状態で、後壁板３３および支承台３４を各側壁板３５，３６に溶接するとともに、支承台３４を各脚部３１，３２および各側壁板３５，３６に溶接する。これにより、ケース本体と架台とが一体の組立体が形成される。
【００４３】
その後、この組立体の上方開口部からストッカ３７を挿入して、ストッカ３７の箱体３７ａを支承台３４の平板部３４ａに載置するとともに、ストッカ３７の上壁部３７ｃを各側壁板３５，３６の上壁部３５ｃ，３６ｃ上に掛止めして、ストッカ３７の前壁部３７ｂを各側壁板３５，３６の前壁部３５ｄ，３６ｄの前面に当接して位置させ、ストッカ３７を各側壁板３５，３６の上壁部３５ｃ，３６ｃおよび前壁部３５ｄ，３６ｄ、支承台３４の前縁部３４ｂ、後壁板３３の上縁に溶接する。
【００４４】
このように組立てられた収納ケースでは、ストッカ３７の各貫通穴３７ｂ１，３７ｂ２と、各側壁板３５，３６の貫通穴３５ｄ１，３６ｄ１と、各脚部３１，３２の貫通穴３１ａ，３２ａとがこの順序で互いに対向していて、各脚部３１，３２の内部を開閉扉１８の支持アーム１８ｂ、支持アーム１８ｂに掛止されるバネ部材１８ｃの収容空間部を構成しており、各脚部３１，３２、支承台３４、ストッカ３７、各側壁板３５，３６、および後壁板３３間に形成される間隙には、発泡樹脂を注入して発泡させて形成された断熱材が充填されており、各脚部３１，３２内に形成されている収容空間部は確保されている。
【００４５】
当該収納ケースにおいては、図５に示す従来の収納ケースと同様に、製氷板等の製氷機構部を組み付けた天板１７、ストッカ３７の前側開口部を開閉する開閉扉１８、コンプレッサやコンデンサ等を組み付けた底板１９が組み付けられて、ストッカと一体の製氷機が構成される。
【００４６】
このように構成された当該収納ケースにおいては、図５に示す従来の収納ケースと同様に機能するもので、図４に示す状態と略同様にストッカ３７と一体の製氷機を構成し、上記した図１および図２に示す本発明に係る収納ケースと同様の作用効果を奏する。
【００４７】
特に、当該収納ケースにおいては、ケース本体と一体の架台を構成する左右の両脚部３１，３２は箱状を呈していて、単なる平板に比較して極めて高い剛性を有するとともに、他の構成部材との溶接やかしめによっても、また左右両側壁板３５，３６による挟持によっても歪みが発生することがなくて、垂直起立状態を保持する。このため、収納ケースは正面からみて、支承台３４の各脚部３１，３２に対する固着部を中心とするハの字状または逆ハの字状を呈するようなことはなく、ストッカ３７の組付け精度を向上させることができ、また、その後に取付けられる天板１７、開閉扉１８、底板１９等との取付け位置にずれが生じることがない。
【図面の簡単な説明】
【図１】本発明の一例に係る収納ケースの分解した状態を示す斜視図である。
【図２】同収納ケースを構成する架台の分解斜視図である。
【図３】本発明の他の一例に係る収納ケースの分解した状態を示す斜視図である。
【図４】従来の収納ケースを構成部品とする製氷機の一部破断側面図である。
【図５】同収納ケースの分解斜視図である。
【図６】同収納ケースを構成する架台の分解斜視図である。
【符号の説明】
１０ａ…架台、１１ａ，１１ｂ…側壁板、１１ａ１，１１ｂ１…貫通穴、１２…後壁板、１３ａ，１３ｂ…側板、１３ａ１，１３ｂ１…貫通穴、１４…支承台、１４ａ，１４ｂ，１４ｃ…フランジ部、１４ｄ，１４ｅ…切欠部、１５ａ，１５ｂ…カバー体、１６…ストッカ、１６ａ，１６ｂ…貫通穴、１７…天板、１８…開閉扉、１８ａ…扉本体、１８ｂ…支持アーム、１８ｃ…ストッパ部、１８ｄ…バネ部材、１９…底板、２０ａ…架台、２１，２２…脚部、２１ａ，２２ａ…主壁部、２１ａ１，２２ａ１…作業穴、２１ａ２，２２ａ２…支承片、２１ａ３，２２ａ３…掛止部、２１ｂ，２２ｂ…上壁部、２１ｃ，２２ｃ…下壁部、２１ｄ，２２ｄ…前壁部、前壁部２１ｄ１，２２ｄ１…貫通穴、２１ｅ，２２ｅ…後壁部、２３，２４…補助脚部、２３ａ，２４ａ…側板部、２３ｂ，２４ｂ…後板部、２３ｃ，２４ｃ…底板部、２５…支承台、２５ａ…平板部、２５ａ１，２５ａ２…切欠部、２５ｂ…前縁部、２５ｃ…後縁部、２５ｄ，２５ｅ…側縁部、２６…ストッカ、２６ａ…箱体、２６ｂ…前壁部、２６ｂ１，２６ｂ２…貫通穴、２６ｃ…上壁部、２７，２８…側壁板、２７ａ，２８ａ…主壁部、２７ａ１，２８ａ１…窓部、２７ｂ，２８ｂ…上壁部、２７ｃ，２８ｃ…下壁部、２７ｄ，２８ｄ…前壁部、２７ｄ１，２８ｄ１…貫通穴、２７ｅ，２８ｅ…後壁部、２７ｆ，２８ｆ…突片、２９…後壁板、３１，３２…脚部、３１ａ，３２ａ…貫通穴、３３…後壁板、３４…支承台、３４ａ…平板部、３４ｂ…前縁部、３５，３６…側壁板、３５ａ，３６ａ…主壁部、３５ｂ，３６ｂ…突片、３５ｃ，３６ｃ…上壁部、３５ｄ，３６ｄ…前壁部、３５ｄ１，３６ｄ１…貫通穴、３７…ストッカ、３７ａ…箱体、３７ｂ…前壁部、３７ｂ１，３７ｂ２…貫通穴、３７ｃ…上壁部。
【図１】
0003575669.tif 000002
【図２】
0003575669.tif 000003
【図３】
0003575669.tif 000004
【図４】
0003575669.tif 000005
【図５】
0003575669.tif 000006
【図６】
0003575669.tif 000007